(57)【特許請求の範囲】
【請求項１】
送信解像度を設定する設定手段と、
原稿画像を読み取って画像データを生成する生成手段と、
前記生成手段により生成された画像データを記憶する記憶手段と、
前記記憶手段に記憶された画像データに基づいて、前記設定手段により設定された前記送信解像度に対応する送信用の画像データを生成する生成手段と、
前記生成手段により生成された前記送信用の画像データの印刷を実行する印刷手段と、
前記印刷手段による印刷の完了に従って、送信を実行するか否かをユーザに確認させるための確認画面を表示部に表示させる表示制御手段と、
前記ユーザによる送信指示に従って、外部と通信するための通信インタフェースを介して前記送信用の画像データの送信を実行する送信手段と、
送信先の装置の印刷能力を取得する取得手段と、
前記取得手段により取得された前記送信先の装置の印刷能力で示される印刷解像度と前記送信用の画像データの前記送信解像度に基づいて、前記送信用の画像データから、前記送信用の画像データの解像度より低い前記送信先の装置の前記印刷解像度の画像データを生成するか否かを、前記ユーザによる送信指示を受付けた後に判定する判定手段と、
を備え、
前記送信用の画像データから、前記送信用の画像データの解像度より低い前記送信先の装置の前記印刷解像度の画像データを生成すると前記判定手段により判定された場合、前記生成手段は前記送信用の画像データから前記送信先の装置の前記印刷解像度の画像データを生成し、前記送信手段は該生成された前記印刷解像度の画像データを送信し、前記表示制御手段は前記印刷手段により印刷された前記送信用の画像データの解像度よりも低い解像度の画像データが送信されたことを前記表示部に表示させることを特徴とする画像処理装置。
【請求項２】
前記送信用の画像データから、前記送信用の画像データの解像度より低い前記送信先の装置の前記印刷解像度の画像データを生成すると前記判定手段により判定された場合、前記生成手段は、前記送信用の画像データの解像度を、前記送信先の装置の前記印刷解像度以下になるまで変換することで、前記送信先の装置の前記印刷解像度の画像データを生成することを特徴とする請求項１に記載の画像処理装置。
【請求項３】
前記送信手段によって送信された画像データの解像度と、前記送信用の画像データの前記送信解像度とが一致する場合、前記表示制御手段は、前記印刷手段により印刷された前記送信用の画像データの解像度よりも低い解像度の画像データが送信されたことを前記表示部に表示させないことを特徴とする請求項１または２に記載の画像処理装置。
【請求項４】
前記表示部をさらに備えることを特徴とする請求項１乃至３のいずれか１項に記載の画像処理装置。
【請求項５】
前記送信用の画像データは、前記ユーザの送信指示に従って、ＦＡＸ送信されることを特徴とする請求項１乃至４のいずれか１項に記載の画像処理装置。
【請求項６】
前記確認画面は、前記送信指示をユーザから受け付けるためのボタンを含む画面であることを特徴とする請求項１乃至５のいずれか１項に記載の画像処理装置。
【請求項７】
画像処理装置において実行される制御方法であって、
送信解像度を設定する設定工程と、
原稿画像を読み取って画像データを生成する生成工程と、
前記生成工程において生成された画像データを記憶部に記憶する記憶工程と、
前記記憶部に記憶された画像データに基づいて、前記設定工程において設定された前記送信解像度に対応する送信用の画像データを生成する生成工程と、
前記生成工程において生成された前記送信用の画像データの印刷を実行する印刷工程と、
前記印刷工程における印刷の完了に従って、送信を実行するか否かをユーザに確認させるための確認画面を表示部に表示させる表示制御工程と、
前記ユーザによる送信指示に従って、外部と通信するための通信インタフェースを介して前記送信用の画像データの送信を実行する送信工程と、
送信先の装置の印刷能力を取得する取得工程と、
前記取得工程において取得された前記送信先の装置の印刷能力で示される印刷解像度と前記送信用の画像データの前記送信解像度に基づいて、前記送信用の画像データから、前記送信用の画像データの解像度より低い前記送信先の装置の前記印刷解像度の画像データを生成するか否かを、前記ユーザによる送信指示を受付けた後に判定する判定工程と、
を有し、
前記送信用の画像データから、前記送信用の画像データの解像度より低い前記送信先の装置の前記印刷解像度の画像データを生成すると前記判定工程において判定された場合、前記生成工程では前記送信用の画像データから前記送信先の装置の前記印刷解像度の画像データを生成し、前記送信工程では該生成された前記印刷解像度の画像データを送信し、前記表示制御工程では前記印刷工程において印刷された前記送信用の画像データの解像度よりも低い解像度の画像データが送信されたことを前記表示部に表示させることを特徴とする制御方法。
【請求項８】
前記送信用の画像データから、前記送信用の画像データの解像度より低い前記送信先の装置の前記印刷解像度の画像データを生成すると前記判定工程において判定された場合、前記生成工程では、前記送信用の画像データの解像度を、前記送信先の装置の前記印刷解像度以下になるまで変換することで、前記送信先の装置の前記印刷解像度の画像データを生成することを特徴とする請求項７に記載の制御方法。
【請求項９】
前記送信工程において送信された画像データの解像度と、前記送信用の画像データの前記送信解像度とが一致する場合、前記表示制御工程では、前記印刷工程において印刷された前記送信用の画像データの解像度よりも低い解像度の画像データが送信されたことを前記表示部に表示させないことを特徴とする請求項７または８に記載の制御方法。
【請求項１０】
前記画像処理装置は、前記表示部をさらに備えることを特徴とする請求項７乃至９のいずれか１項に記載の制御方法。
【請求項１１】
前記送信用の画像データは、前記ユーザの送信指示に従って、ＦＡＸ送信されることを特徴とする請求項７乃至１０のいずれか１項に記載の制御方法。
【請求項１２】
前記確認画面は、前記送信指示をユーザから受け付けるためのボタンを含む画面であることを特徴とする請求項７乃至１１のいずれか１項に記載の制御方法。
【請求項１３】
請求項１乃至６のいずれか１項に記載の画像処理装置の各手段としてコンピュータを機能させるためのプログラム。
【発明の詳細な説明】
【技術分野】
【０００１】
本発明は、ファクス送信機能を実行可能な画像処理装置、制御方法およびプログラムに関する。
【背景技術】
【０００２】
ファクス送信機能を用いてデータを送信する場合、画像データはビット画像で送信される。ファクス送信機能を有する装置では、データの送信時に複数の解像度から一つの解像度が選択され、その選択された解像度でデータを送信する。その際、高解像度で送信するほど、送信時間が増大し、電話料金が増加する。一方、低解像度で送信するほど、細かい文字や複雑な画像データが送信先のファクス受信機で印刷された際に読み取れない可能性が高くなる。
【先行技術文献】
【特許文献】
【０００３】
【特許文献１】特開平０５−１９９３５０号公報
【発明の概要】
【発明が解決しようとする課題】
【０００４】
原稿の画像を読み取る読取装置を備えた装置においてファクス送信機能を実行する際、ファクス送信画像を印刷して確認することがある。一般的に、コピー機能とファクス送信機能とにおいて、画像の解像度は異なる。そのため、ファクス送信の試見のための印刷機能としては、特許文献１に記載のように、ファクス送信解像度での印刷が必要となる。また、試見印刷後、解像度を変えて確認または送信を行いたい場合には、再度、読取操作を行わなくてはならない。
【０００５】
本発明の目的は、このような従来の問題点を解決することにある。上記の点に鑑み、本発明は、ユーザが設定し、送信用の画像データを印刷してまで確認した送信解像度よりも低い解像度の画像データが意図せず送信されたことを容易にユーザに認識させることができる画像処理装置、制御方法およびプログラムを提供することを目的とする。
【課題を解決するための手段】
【０００６】
上記課題を解決するため、本発明に係る画像処理装置は、送信解像度を設定する設定手段と、原稿画像を読み取って画像データを生成する生成手段と、前記生成手段により生成された画像データを記憶する記憶手段と、前記記憶手段に記憶された画像データに基づいて、前記設定手段により設定された前記送信解像度に対応する送信用の画像データを生成する生成手段と、前記生成手段により生成された前記送信用の画像データの印刷を実行する印刷手段と、前記印刷手段による印刷の完了に従って、送信を実行するか否かをユーザに確認させるための確認画面を表示部に表示させる表示制御手段と、前記ユーザによる送信指示に従って、外部と通信するための通信インタフェースを介して前記送信用の画像データの送信を実行する送信手段と、送信先の装置の印刷能力を取得する取得手段と、前記取得手段により取得された前記送信先の装置の印刷能力で示される印刷解像度と前記送信用の画像データの前記送信解像度に基づいて、前記送信用の画像データから、前記送信用の画像データの解像度より低い前記送信先の装置の前記印刷解像度の画像データを生成するか否かを、前記ユーザによる送信指示を受付けた後に判定する判定手段と、を備え、前記送信用の画像データから、前記送信用の画像データの解像度より低い前記送信先の装置の前記印刷解像度の画像データを生成すると前記判定手段により判定された場合、前記生成手段は前記送信用の画像データから前記送信先の装置の前記印刷解像度の画像データを生成し、前記送信手段は該生成された前記印刷解像度の画像データを送信し、前記表示制御手段は前記印刷手段により印刷された前記送信用の画像データの解像度よりも低い解像度の画像データが送信されたことを前記表示部に表示させることを特徴とする。
【発明の効果】
【０００７】
本発明によれば、ユーザが設定し、送信用の画像データを印刷してまで確認した送信解像度よりも低い解像度の画像データが意図せず送信されたことを容易にユーザに認識させることができる。
【図面の簡単な説明】
【０００８】
【図１】ジョブ処理システムの構成を示す図である。
【図２】制御部の構成を示す図である。
【図３】ＦＡＸ送信機能を実行する際の制御処理を示すフローチャートである。
【図４】送信確認画面を示す図である。
【図５】送信解像度設定画面を示す図である。
【図６】警告メッセージ画面を示す図である。
【発明を実施するための形態】
【０００９】
以下、添付図面を参照して本発明の実施形態を詳しく説明する。尚、以下の実施形態は特許請求の範囲に係る本発明を限定するものでなく、また本実施形態で説明されている特徴の組み合わせの全てが本発明の解決手段に必須のものとは限らない。なお、同一の構成要素には同一の参照番号を付して、説明を省略する。
【００１０】
図１は、本実施形態におけるジョブ処理システム１００の構成を示す図である。ジョブ処理システム１００は、画像処理装置１０１と、ＰＣや携帯端末等の情報処理装置１０３とを含む。画像処理装置１０１と情報処理装置１０３とは、有線や無線ＬＡＮ等のネットワーク１０２を介して相互に通信可能に接続されている。画像処理装置１０１は、原稿上の画像を光学的に読み取る画像読取装置と、ＦＡＸ送信機能を実行するＦＡＸ装置と、記録媒体に画像を記録する印刷装置を含む。本実施形態では、画像処理装置１０１として、例えば、カラーＭＦＰ（Ｍｕｌｔｉ  Ｆｕｎｃｔｉｏｎａｌ  Ｐｅｒｉｐｈｅｒａｌ）が用いられる。画像処理装置１０１は、制御部（コントローラ部）５０、リーダ部１３、プリンタ部４４、ＦＡＸ部３２、操作部２１を含む。画像処理装置１０１は、情報処理装置１０３から受信したジョブや、若しくは、画像処理装置１０１上で投入されたジョブを実行する。ジョブは、画像処理装置１０１が実行可能な各機能に対応しており、例えば、印刷ジョブやスキャンジョブである。
【００１１】
リーダ部１３は、上記の画像読取装置に対応し、スキャナユニット１１と、原稿給紙ユニット（ドキュメントフィーダ（ＤＦ）ユニット）１２を含む。スキャナユニット１１は、原稿に光を照射する光源や、原稿からの反射光を受信するイメージセンサを含み、スキャンジョブに基づいて、原稿上の画像を光学的に読み取り、読取データを生成するユニットである。原稿給紙ユニット１２は、不図示の原稿台トレイに設置された原稿をスキャナユニット１１が読取可能な読取位置まで給送するユニットである。スキャナユニット１１は、原稿給紙ユニット１２によって給送された原稿上の画像を読み取って読取データを生成する。また、スキャナユニット１１は、原稿台に載置され、圧板により抑えられた原稿を読み取って読取データを生成する場合もある。
【００１２】
プリンタ部４４は、上記の印刷装置に対応し、給紙ユニット４３、プリントユニット４１、排紙ユニット４２を含む。給紙ユニット４３は、印刷用の記録媒体を保持し、プリントユニット４１へ記録媒体を搬送する機構を含むユニットである。以下、記録媒体の一例としてシートが用いられるとする。プリントユニット４１は、印刷ジョブおよび画像データに基づいて印刷を行うユニットである。例えば、プリントユニット４１は、トナーを印刷用のシートに転写した後、転写されたシートを定着することによって印刷を行う。なお、印刷の方法は、他の記録方式によって行われても良く、例えば、記録ヘッドからインク滴をシート上に吐出して印刷するインクジェット記録方式により行われても良い。排紙ユニット４２は、印刷されたシートに対して、必要に応じて、ソート、ステイプル等の後処理を実行して排紙するユニットである。
【００１３】
ＦＡＸ部３２は、上記のＦＡＸ装置に対応し、ＦＡＸユニット３１を含む。ＦＡＸユニット３１は、ＦＡＸジョブに基づいてＰＳＴＮ（公衆交換電話網）を介して外部のＦＡＸ装置との間でデータのＦＡＸ送信やＦＡＸ受信を行う。操作部２１は、ＬＣＤ（Ｌｉｑｕｉｄ  Ｃｒｙｓｔａｌ  Ｄｉｓｐｌａｙ）等で構成される表示部２２と、タッチセンサ等で構成される入力部２３を含む。操作部２１は、表示部２２に、各機能の設定画面や、画像処理装置１０１のジョブ処理状況などの装置情報を表示する。また、操作部２１は、入力部２３を介してユーザからの各種指示操作を受け付け、受け付けた指示操作の内容を制御部５０に送信する。
【００１４】
制御部５０は、リーダ部１３、プリンタ部４４、ＦＡＸ部３２、操作部２１に接続され、例えば画像処理装置１０１に投入されたジョブに基づいて、それらを統括的に制御する。また、制御部５０は、ＬＡＮ１０２を介して情報処理装置１０３と相互に通信可能に接続され、情報処理装置１０３との間でデータの送受信を行う。制御部５０は、操作部２１または情報処理装置１０３を介して受け付けたユーザからの指示に従って、各種ジョブを実行するよう画像処理装置１０１を統括的に制御する。
【００１５】
例えば、制御部５０がコピージョブを実行する場合、制御部５０は、操作部２１を介してユーザからコピー設定とコピーの実行開始指示を受け付け、リーダ部１３に原稿の読取りを実行させる。そして、制御部５０は、リーダ部１３によって読み取られた原稿の読取データを受信して図２のメモリ部２０８に格納した後、コピー設定に従って所定の画像処理を実行する。そして、制御部５０は、プリンタ部４４に、補正処理や色空間変換等、所定の画像処理が実行された画像データを転送し、プリンタ部４４に印刷を実行させる。コピー設定で、ステイプル等の後処理を実行するよう設定されている場合、制御部５０は、プリンタ部４４に後処理を実行させる。
【００１６】
また、例えば、制御部５０がプリントジョブを実行する場合、制御部５０は、情報処理装置１０３から画像データと印刷設定とを受信し、受信した画像データを、受信した印刷設定に従ってプリンタ部４４に印刷させる。また、例えば、制御部５０がＦＡＸジョブを実行する場合、制御部５０は、リーダ部１３によって読み取られた読取データ、および読取データから生成されたＦＡＸ送信用の画像データをメモリ部２０８に格納する。そして、制御部５０は、ＦＡＸ部３２によりＦＡＸ送信先であるＦＡＸ装置に、ＦＡＸ送信用の画像データを送信する。
【００１７】
図２は、制御部５０の構成を示す図である。ＣＰＵ２０１は、ＲＯＭ２０２に記憶されたプログラムをＲＡＭ２０３に読み出して実行することによって、画像処理装置１０１の各機能を実行する。ＲＯＭ２０２は、汎用的なＲＯＭであり、画像処理装置１０１の動作に必要なプログラムやデータ等を記憶する。ＲＡＭ２０３は、汎用的なＲＡＭであり、ＣＰＵ２０１の作業領域として機能する。
【００１８】
表示部インタフェース（Ｉ／Ｆ）２０４は、操作部２１との間のデータの送受信を制御する。例えば、ＣＰＵ２０１から送信された表示用のデータを、操作部２１に転送する。また、操作部Ｉ／Ｆ２０５は、操作部２１を介してユーザから受け付けた指示操作の内容をＣＰＵ２０１に送信する。ネットワークＩ／Ｆ２０６は、ＬＡＮ１０２の媒体に対応した構成を有し、ＣＰＵ２０１がＬＡＮ１０２を介して情報処理装置１０３等の外部装置と通信する際に、外部装置との間のデータの送受信を制御する。
【００１９】
メモリ制御部２０７は、第１バス２１０、第２バス２１１、及び第３バス２１２に接続され、メモリ部２０８に対するデータの書込み／読出しのためのデータ転送を制御する。メモリ部２０８は、各種データを記憶し、例えば、リーダ部１３により読み取られた読取データや印刷対象の画像データを記憶する。また、メモリ部２０８は、読取データや画像データを画像処理する際の設定値をジョブとして記憶する。なお、メモリ部２０８は、そのようなジョブを複数記憶可能であり、メモリ部２０８に記憶された複数のジョブは、ＣＰＵ２０１により、格納された時間等に従って順に実行される。このように、メモリ部２０８は、実行対象のジョブが実行されるまで、複数のジョブを保持する保持部（キュー）としても機能する。
【００２０】
スキャナＩ／Ｆ１０は、リーダ部１３に接続されており、制御部５０とリーダ部１３との間のデータの送受信を制御する。例えば、スキャナＩ／Ｆ１０は、ＣＰＵ２０１からのコマンドをリーダ部１３に転送したり、リーダ部１３によって読み取られた読取データをメモリ制御部２０７に転送する。
【００２１】
画像処理部２０は、スキャナＩ／Ｆ１０を介してメモリ部２０８に書き込まれた読取データに対して、ユーザの設定に応じた画像処理を実行する。例えば、ユーザによりモノクロコピーを行うように設定されている場合、画像処理部２０は、リーダ部１３により読み取られたカラー画像データをモノクロ画像データに変換する処理を行う。さらに、画像処理部２０は、読取データや画像データをプリンタ部４４で印刷可能なデータにするための画像処理を行う。例えば、画像処理部２０は、解像度変換等により、プリンタ部４４での印刷解像度に対応した画像データを生成する処理を行う。また、画像処理部２０は、解像度変換等により、ＦＡＸ部３２で送信可能なデータを生成するための画像処理を行う。例えば、画像処理部２０は、ＦＡＸ部３２でのＦＡＸ送信解像度に対応した画像データを生成する処理を行う。
【００２２】
プリンタＩ／Ｆ４０は、プリンタ部４４に接続されており、制御部５０とプリンタ部４４との間のデータの送受信を制御する。例えば、プリンタＩ／Ｆ４０は、印刷対象の画像データをプリンタ部４４に出力する。ＦＡＸＩ／Ｆ３０は、ＦＡＸ部３２と接続されており、ＦＡＸ送信対象の画像データを、ＦＡＸ部３２に出力する。ＤＭＡコントローラ（ＤＭＡＣ）２０９は、スキャナＩ／Ｆ１０、画像処理部２０、ＦＡＸＩ／Ｆ３０、プリンタＩ／Ｆ４０と、メモリ制御部２０７との間のデータ転送を制御する。
【００２３】
図３は、本実施形態におけるＦＡＸ送信機能を実行する際の送信制御処理を示すフローチャートである。スキャン機能により原稿が読み取られ、ＦＡＸ送信予定の画像がシートにテスト印刷される際に、図３の処理が実行される。図３の処理は、例えば、制御部５０のＣＰＵ２０１が、ＲＯＭ２０２に記憶されたプログラムをＲＡＭ２０３に読み出して実行することによって実現される。
【００２４】
Ｓ３０１において、ＣＰＵ２０１は、スキャナＩ／Ｆ１０を介して、リーダ部１３に原稿の読取りを指示する。ここで、原稿の読取りは、ＦＡＸ送信可能な最大送信解像度以上の解像度で行われ、読み取られた多値画像の画像データは、メモリ部２０８に格納される。例えば、読取りは、ＦＡＸ送信可能な最大送信解像度４００ｄｐｉ×４００ｄｐｉ以上の６００ｄｐｉ×６００ｄｐｉの解像度で行われる。読取りの結果、６００ｄｐｉ×６００ｄｐｉの多値画像データ（読取データに対応）が生成され、メモリ部２０８に格納される。以下の説明において、生成された画像データは、全てメモリ部２０８に格納されるとし、「データを削除する」とは、メモリ部２０８に格納されたデータを削除することをいう。
【００２５】
Ｓ３０２において、ＣＰＵ２０１は、Ｓ３０１で生成された多値画像データから、ＦＡＸ送信用の画像データを生成する。例えば、ここで、Ｓ３０１で生成された６００ｄｐｉ×６００ｄｐｉの多値画像データから、ＦＡＸ送信用の画像データとしての、２００ｄｐｉ×２００ｄｐｉの二値画像データへの解像度変換が行われる。その際、変換前の６００ｄｐｉ×６００ｄｐｉの多値画像データは削除されずにメモリ部２０８内に保持される。また、ＦＡＸ送信用の画像データも、メモリ部２０８内に保持される。後述するが、ＦＡＸ送信の送信解像度が変更された場合、メモリ部２０８内に保持された読取データから、変更後の送信解像度に対応したＦＡＸ送信用の画像データが生成される。また、送信解像度の変更が行われずにＦＡＸ送信が指示された場合には、メモリ部２０８内に保持されたＦＡＸ送信用の画像データが送信される。そのような構成により、ＦＡＸ送信対象画像の試見印刷からＦＡＸ送信まででユーザが行うスキャン操作は一回で十分となり、ユーザの利便性を向上させることができる。
【００２６】
Ｓ３０３において、ＣＰＵ２０１は、生成されたＦＡＸ送信用の画像データから印刷用の画像データを生成し、メモリ部２０８内に保持する。例えば、ここで、プリンタ部４４の印刷解像度が６００ｄｐｉ×６００ｄｐｉである場合、２００ｄｐｉ×２００ｄｐｉの二値画像データであるＦＡＸ送信用の画像データに対して、拡大処理が実行される。拡大処理により、６００ｄｐｉ×６００ｄｐｉの印刷用の二値画像データが生成され、メモリ部２０８内に保持される。
【００２７】
本実施形態において、メモリ部２０８には、読取データを保持する領域と、読取データから生成されたＦＡＸ送信対象の画像データを保持する領域と、印刷用の画像データを保持する領域とが構成されている。しかしながら、一つのメモリ内部に複数の保持領域を構成するのではなく、別個の記憶部として構成されるようにしても良い。
【００２８】
Ｓ３０４において、ＣＰＵ２０１は、Ｓ３０３で生成された印刷用の画像データを、プリンタＩ／Ｆ４０を介して、プリンタ部４４へ送信して印刷を行う。Ｓ３０５において、ＣＰＵ２０１は、印刷が正常に完了した場合には、印刷用の画像データを削除する。図３には不図示であるが、Ｓ３０４で印刷用の画像データの印刷がジャム等により失敗した場合には、その旨のメッセージを表示部２２に表示し、印刷用の画像データの印刷を再度実行可能とするようにしても良い。
【００２９】
Ｓ３０６において、制御部５０は、表示部２２に図４に示すような送信確認画面を表示する。そのような構成により、ユーザは、ＦＡＸ送信先で受信されるであろう画像を、ＦＡＸ送信前に印刷物として確認することができる。図４の「はい」ボタンは、ＦＡＸ送信実行の指示に対応し、「いいえ」ボタンは、ＦＡＸ送信中止の指示に対応する。また、「解像度を変更する」ボタンは、ＦＡＸ送信における送信解像度の変更指示に対応する。Ｓ３０６において、ＣＰＵ２０１は、解像度変更指示、送信中止指示、送信実行指示のいずれかの指示を受け付けたと判定した場合、Ｓ３０７に処理を進める。
【００３０】
Ｓ３０７において、ＣＰＵ２０１は、受け付けた指示が送信解像度の変更指示であるか否かを判定する。ここで、送信解像度の変更指示であると判定された場合、Ｓ３１３において、ＣＰＵ２０１は、図５に示す送信解像度の変更画面を表示部２２に表示する。図５に示すように、画面上には、リーダ部１３での読取用の読取解像度以下の解像度がＦＡＸ送信の送信解像度の候補として一覧表示され、ユーザからの選択を受付可能である。ＣＰＵ２０１は、いずれかの送信解像度の選択を受け付けると、Ｓ３０２に戻り、Ｓ３０１で生成されメモリ部２０８に格納された多値画像データから、Ｓ３１３で変更された送信解像度でＦＡＸ送信用の画像データを生成し、Ｓ３０３以降の処理を順次実行する。一方、Ｓ３０７で、受け付けた指示が送信解像度の変更指示でないと判定された場合、Ｓ３０８に進む。
【００３１】
Ｓ３０８において、ＣＰＵ２０１は、受け付けた指示がＦＡＸ送信の中止指示であるか否かを判定する。ここで、ＦＡＸ送信の中止指示であると判定された場合、Ｓ３１１に進む。Ｓ３１１において、ＣＰＵ２０１は、Ｓ３０２で生成されたＦＡＸ送信用の画像データを削除し、Ｓ３１２において、Ｓ３０１で生成された多値画像データを削除し、その後、図３の処理を終了する。一方、Ｓ３０８でＦＡＸ送信の中止指示でない（あるいは、ＦＡＸ送信実行の指示である）と判定された場合、Ｓ３０９に進む。
【００３２】
Ｓ３０９において、ＣＰＵ２０１は、Ｓ３０２で生成されたＦＡＸ送信用の画像データをＦＡＸ部３２に送信する。ＦＡＸ部３２は、ＰＳＴＮを介して送信先の外部ＦＡＸ装置との間でＦＡＸ通信を行い、ＦＡＸ送信用の画像データを外部ＦＡＸ装置へ送信する。その際、ＦＡＸ部３２は、ＦＡＸ通信により送信先のＦＡＸ装置の印刷能力を確認し、送信先のＦＡＸ装置の印刷能力以上の解像度データを制御部５０から取得しているか否かを判定する。印刷能力とは、例えば、印刷用の解像度である。ここで、送信先のＦＡＸ装置の印刷能力以上の解像度の画像データを制御部５０から取得していると判定された場合、画像処理部２０は、送信先のＦＡＸ装置の印刷能力の許容範囲となるまで、より低解像度の画像データに変換する。そして、ＦＡＸ部３２は、その変換された画像データを送信先のＦＡＸ装置に送信する。ＦＡＸ通信において、印刷能力情報を確認する通信方法は、送信相手装置の能力情報が取得可能であれば特に限定されない。
【００３３】
Ｓ３１０において、ＣＰＵ２０１は、ＦＡＸ部３２がＳ３０９で実際にＦＡＸ送信した送信解像度と、Ｓ３０２で生成されたＦＡＸ送信用の画像データの解像度、即ち、ユーザにより指定されたＦＡＸ送信用の送信解像度とが異なるか一致するかを判定する。ここで、異なると判定された場合、Ｓ３１４に進む。Ｓ３１４において、ＣＰＵ２０１は、図６のメッセージ画面を表示部２２に表示する。そのメッセージ画面においては、Ｓ３０４で印刷された印刷結果と送信先で出力される印刷結果との間で差異が発生する可能性を警告するメッセージが表示される。一方、Ｓ３１０で一致すると判定された場合、Ｓ３１１に進む。印刷された印刷結果と送信先で出力される印刷結果との間で発生する差異については、ＬＥＤ表示等、画面表示以外の方法でユーザに通知されても良い。
【００３４】
Ｓ３１１において、ＣＰＵ２０１は、Ｓ３０２で生成されたＦＡＸ送信用の画像データの削除を行い、Ｓ３１２において、Ｓ３０１で生成された多値画像データを削除し、その後、図３の処理を終了する。
【００３５】
以上のように、本実施形態によれば、スキャナ及びプリンタを備えた画像処理装置（ＭＦＰ）で、ファクス送信対象の画像データの送信前の試見印刷、解像度を変換しての再試見印刷、及びファクス送信を通して、原稿画像の読取りは一度しか行われない。さらに、ファクス送信用の画像データを実際に送信した画像と、試見印刷で印刷され確認されたファクス送信予定の画像との間に乖離が発生した可能性がある場合には、注意喚起メッセージを表示する。その結果、ファクス送信を行う際に、ファクス送信先とのネゴシエーションの結果、ユーザに指示によらずに解像度を下げて送信されたとしても、送信者側でファクス受信画像の劣化の可能性を気づかせることができる。その結果、ファクス機能のユーザの利便性を向上させることができる。
【００３６】
［その他の実施例］
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００３７】
１３  リーダ部：  ３２  ＦＡＸ部：  ５０  制御部：  ２０１  ＣＰＵ：  ２０２  ＲＯＭ：  ２０３  ＲＡＭ：  １０１  画像処理装置
【図１】
0006706060.tif 000002
【図２】
0006706060.tif 000003
【図３】
0006706060.tif 000004
【図４】
0006706060.tif 000005
【図５】
0006706060.tif 000006
【図６】
0006706060.tif 000007